(57)【要約】【課題】  ショーケース用の着脱式自動回転扉を提供する。【解決手段】  本発明は、ショーケース用の着脱式自動回転扉である。その具体的な構成は、上部と下部には仕上げキャップ４０が嵌め込まれ、上仕上げキャップ４０の一方の側には第１の嵌合突起４１が取り付けられ、下仕上げキャップ４０の一方の側には第２の嵌合突起４７付き回転膜３０が多数配備され、多数の嵌込み孔２３が所定の間隔をあけて形成された上下フレーム２０、２２が配備され、前記上フレーム２０の嵌込み孔２３には動力伝達具７０が嵌め込まれるが、前記動力伝達具７０の中央には前記第１の嵌合突起４１が嵌め込まれるように突起嵌合孔７１が形成され、前記突起嵌合孔７１の中心から等距離に位置して対称をなす２個所には動力嵌合孔７３が形成され、前記動力嵌合孔７３にはコイルばね８１と動力棒８０がこの順に嵌め込まれ、前記突起嵌合孔７１の上部には第１の嵌合突起４１を把持するための把持ボルト４６が載せられるように係止爪７２が形成され、前記第１の嵌合突起４１の上部の中央には把持ボルト４６が螺合されるように係合孔４５が形成され、第１の嵌合突起４１の下部には第１の嵌合突起４１の外径よりも大きな外径を有する突起胴体部４２が形成され、前記突起胴体部４２の上面には前記第１の嵌合突起４１の中心から等距離に位置して対称をなす２個所に前記動力棒８０の先端が嵌め込まれるように置き孔４３が形成され、前記突起胴体部４２は、上フレーム２０の仕上げキャップ４０に取り付けられた突起胴体載置部４４に組み付けられて、前記上フレーム２０に取り付けられた回動手段を介して多数の回転膜３０が同時に開閉される構成である。【選択図】  図７
2021500933.tif 000002
【特許請求の範囲】
【請求項１】
上部と下部には仕上げキャップ（４０）が嵌め込まれ、上仕上げキャップ（４０）の一方の側には第１の嵌合突起（４１）が取り付けられ、下仕上げキャップ（４０）の一方の側には第２の嵌合突起（４７）付き回転膜（３０）が多数配備され、多数の嵌込み孔（２３）が所定の間隔をあけて形成された上下フレーム（２０、２２）が配備され、前記上フレーム（２０）の嵌込み孔（２３）には動力伝達具（７０）が嵌め込まれるが、前記動力伝達具（７０）の中央には前記第１の嵌合突起（４１）が嵌め込まれるように突起嵌合孔（７１）が形成され、前記突起嵌合孔（７１）の中心から等距離に位置して対称をなす２個所には動力嵌合孔（７３）が形成され、前記動力嵌合孔（７３）にはコイルばね（８１）と動力棒（８０）がこの順に嵌め込まれ、前記突起嵌合孔（７１）の上部には第１の嵌合突起（４１）を把持するための把持ボルト（４６）が載せられるように係止爪（７２）が形成され、前記第１の嵌合突起（４１）の上部の中央には把持ボルト（４６）が螺合されるように係合孔（４５）が形成され、第１の嵌合突起（４１）の下部には第１の嵌合突起（４１）の外径よりも大きな外径を有する突起胴体部（４２）が形成され、前記突起胴体部（４２）の上面には前記第１の嵌合突起（４１）の中心から等距離に位置して対称をなす２個所に前記動力棒（８０）の先端が嵌め込まれるように置き孔（４３）が形成され、前記突起胴体部（４２）は上フレーム（２０）の仕上げキャップ（４０）に取り付けられた突起胴体載置部（４４）に組み付けられて、前記上フレーム（２０）に取り付けられた回動手段を介して多数の回転膜（３０）が同時に開閉されることを特徴とするショーケース用の着脱式自動回転扉。
【請求項２】
前記上フレーム（２０）には、ショーケースの内方に向かって完全に開かれた回転膜（３０）の間隔を等しく保持するために間隔保持具（９０）が取り付けられ、前記下フレーム（２２）には、多数の回転膜（３０）が閉じられた状態でショーケースの前方に突き出て回転することを防止するために回転止め具（９１）が取り付けられることを特徴とする請求項１に記載のショーケース用の着脱式自動回転扉。
【請求項３】
前記上フレーム（２０）には回動手段が取り付けられるが、上フレーム（２０）の内側の両側にはレール（５５）が取り付けられるレール溝（２１）が形成され、前記レール（５５）の上部には主牽引具（５０）が結合され、前記主牽引具（５０）の上部にはモータ（５３）のピニオンギヤ（５４）と噛み合うラックギヤ（５１）が形成され、前記主牽引具（５０）の底面にはローラ（５２）が取り付けられ、前記動力伝達具（７０）の上部には縦牽引具（６０）が取り付けられるが、前記縦牽引具（６０）には活性孔（６２）が貫通して形成され、前記活性孔（６２）に出入りする牽引竿（６１）の一方の側はレール（５５）に係合することにより、前記主牽引具（５０）の作動につれて縦牽引具（６０）が回動しながら、多数の回転膜（３０）が同時に開閉されることを特徴とする請求項１又は請求項２に記載のショーケース用の着脱式自動回転扉。
【発明の詳細な説明】
【技術分野】
【０００１】
本発明は、ショーケース用の扉に係り、さらに詳しくは、別途の扉がないオープンショーケースの前面にセンサーの感知に応じて自動的に回転する着脱式回転扉を設けることにより、ショーケースの内部をさらに清潔に且つ新鮮に保ち、電力の使用量を低減させるだけではなく、多数の回転膜が開閉される過程で、特定の回転膜が外力によって制動される場合、使用者の安全を最優先的に担保するために問題の生じた回転膜の作動を一時的に止めることのできるショーケース用の着脱式自動回転扉に関する。
【背景技術】
【０００２】
図１は、本発明が属するショーケースにおいて主として用いられる従来の方式のオープン式ショーケースの斜視図である。前記オープン式ショーケース１０とは、主としてコンビニやお菓子屋やパン屋などにおいて冷蔵を必要とする多種多様な飲み物と食品などを長期にわたって陳列して新鮮な状態が保たれるように陳列するものをいい、図１に示すように、陳列棚１１が複層に構成された陳列空間１２と、冷気を生成するための冷蔵システムをはじめとして、ショーケースのメンテナンス行うための構成要素などが組み込まれている機械室１３と、に大別される。
【０００３】
前記冷蔵システムは、圧縮機、凝縮器、膨張弁、熱交換器、及びこれらを互いに連結する冷媒管などから構成された通常のものであって、冷媒が繰り返し循環しつつ冷気が生成され、この冷気は、送風ファンを介して上部の陳列空間１２に供給されて陳列された食品の新鮮度が保たれるようにする。
【０００４】
図１に示す従来のオープン式ショーケースは、当初にはショーケース１０の前面に引き戸式の扉付きが設けられて普及されていたが、扉を開いて食品を取り出す過程が、消費者にとって使い勝手が悪い、もしくは、面倒くさいこととして認識されてしまうが故に、扉付きショーケースは食飲料を陳列する用途には向いていないと評価されている。
【０００５】
したがって、ほとんどのコンビニやお菓子屋やパン屋では、冷蔵を必要とする飲料と食品を陳列するために、扉無しオープン式ショーケースが設けられるのが現状である。しかしながら、オープン式ショーケースは、冷気が保存され続けられずに外部に排出されるような構成であることに鑑みたとき、過剰な冷房電力の使用費が支払われるという問題があるだけではなく、外部の粉塵などがショーケースの内部に流れ込むが故に、新鮮食品を陳列する用途には向いていないという意見もまたあるのが現状である。
【０００６】
本発明の出願人兼ね発明者である「クォン  サンウ」は、このような同種業界の状況を認識し、ショーケース分野の技術上の問題を改善すべく鋭意努力を注いだあげく、大韓民国特許第１０−１１９６２６１号公報の「ショーケース用の着脱式自動回転扉」、大韓民国特許第１０−１２９０７６９号公報の「ショーケース用の着脱式自動回転スクリーン」、及び大韓民国特許第１０−１２９９４７９号公報の「ショーケース用の着脱式自動回転扉」を開発して、産業の発展に資している。
【先行技術文献】
【特許文献】
【０００７】
【特許文献１】大韓民国特許第１０−１１９６２６１号公報
【特許文献２】大韓民国特許第１０−１２９０７６９号公報
【特許文献３】大韓民国特許第１０−１２９９４７９号公報
【発明の概要】
【発明が解決しようとする課題】
【０００８】
したがって、本発明は、前述した従来の問題を改善することはもとより、本発明の出願人兼ね発明者である「クォン  サンウ」の大韓民国特許第１０−１１９６２６１号公報の「ショーケース用の着脱式自動回転扉」、大韓民国特許第１０−１２９０７６９号公報の「ショーケース用の着脱式自動回転スクリーン」、及び大韓民国特許第１０−１２９９４７９号公報の「ショーケース用の着脱式自動回転扉」の技術構成の一部を利用ないし改良した後、新たな構成を追加して、以前よりもなお一層進んだ作用効果が得られるショーケース用の着脱式自動回転扉を提供することを目的としている。
【課題を解決するための手段】
【０００９】
本発明に係るショーケース用の着脱式自動回転扉の具体的な課題の解決手段は、上部と下部には仕上げキャップ４０が嵌め込まれ、上仕上げキャップ４０の一方の側には第１の嵌合突起４１が取り付けられ、下仕上げキャップ４０の一方の側には第２の嵌合突起４７付き回転膜３０が多数配備され、多数の嵌込み孔２３が所定の間隔をあけて形成された上下フレーム２０、２２が配備され、前記上フレーム２０の嵌込み孔２３には動力伝達具７０が嵌め込まれるが、前記動力伝達具７０の中央には前記第１の嵌合突起４１が嵌め込まれるように突起嵌合孔７１が形成され、前記突起嵌合孔７１の中心から等距離に位置して対称をなす２個所には動力嵌合孔７３が形成され、前記動力嵌合孔７３にはコイルばね８１と動力棒８０がこの順に嵌め込まれ、前記突起嵌合孔７１の上部には第１の嵌合突起４１を把持するための把持ボルト４６が載せられるように係止爪７２が形成され、前記第１の嵌合突起４１の上部の中央には把持ボルト４６が螺合されるように係合孔４５が形成され、第１の嵌合突起４１の下部には第１の嵌合突起４１の外径よりも大きな外径を有する突起胴体部４２が形成され、前記突起胴体部４２の上面には前記第１の嵌合突起４１の中心から等距離に位置して対称をなす２個所に前記動力棒８０の先端が嵌め込まれるように置き孔４３が形成され、前記突起胴体部４２は、上フレーム２０の仕上げキャップ４０に取り付けられた突起胴体載置部４４に組み付けられて、前記上フレーム２０に取り付けられた回動手段を介して多数の回転膜３０が同時に開閉される構成である。
【発明の効果】
【００１０】
本発明に係るショーケース用の着脱式自動回転扉を用いると、オープン式ショーケースに陳列された各種の食品と飲料を外部から流れ込む異物から保護して、なお一層清潔な陳列状態を保つことができる他、新鮮度を高める冷気が外部に過剰に流出されるという不都合が解消されて、電力消費量を節減することができ、透明な材質の回転膜の表面を用いて、ショーケースの内部に陳列された各種の食品に対する広報を行い易いというメリットがある。
【００１１】
また、消費者の手が自動的に回転する回転膜の間に挟み込まれるといった状況が生じるとき、回転膜に加えられる回転力を急激に消滅することにより、消費者の安全を担保し得る有用な発明であるだけではなく、本発明が既存のオープン式ショーケースに着脱式で取り付け可能なものであることを考慮するとき、既存の施設物を用いてなお一層向上したサービスを消費者に提供することができるというメリットがある。
【図面の簡単な説明】
【００１２】
【図１】従来のオープン式ショーケースの斜視図。
【図２】本発明に係るショーケース用の着脱式自動回転扉の分解斜視図。
【図３】本発明における回転膜と上フレームの結合状態を説明するための詳細斜視図。
【図４】本発明におけるセンサーと覆体を説明するための斜視図。
【図５】本発明に係る回転膜の作動原理を説明するための模式図。
【図６】本発明における動力伝達具の構成と作動を説明するための斜視図。
【図７】本発明における動力伝達具の構成と作動を説明するための斜視図。
【図８】本発明における動力伝達具の構成と作動を説明するための斜視図。
【図９】本発明における縦牽引具の構成と作動を説明するための斜視図。
【図１０】本発明における縦牽引具の構成と作動を説明するための斜視図。
【図１１】本発明における動力伝達具の動力棒の機能を説明するための斜視図。
【図１２】本発明に係るショーケース用の着脱式自動回転扉の組み立て状態の斜視図。
【発明を実施するための形態】
【００１３】
本発明は、オープン式ショーケースの前方に着脱式に設けられるものであって、ショーケースに陳列された食品に手を当てるための消費者の手動作をセンサー１５があらかじめ感知して、手動作とともに多数の回転膜３０が９０°で同時に回転しながら陳列食品を取り出せるようにしたショーケース用の着脱式自動回転扉である。
【００１４】
以下、本発明に係るショーケース用の着脱式自動回転扉の目的を達成し得る好適な実施の形態の技術構成及び効果について添付図面に基づいて説明するが、本発明と関連する公知の機能や構成及びシステムについての具体的な説明が本発明の要旨と符合しない敷衍説明に過ぎない場合、それについての詳しい説明は省略する。
【００１５】
図２は、本発明に係るショーケース用の着脱式自動回転扉の分解斜視図である。図２に示すように、ショーケースの前面を開け閉めする多数の回転膜３０と、前記回転膜３０を配設するための四角い形状の上フレーム２０と、が配備される。回転膜３０の上部には、図２の上部に示す円内拡大図でのように、仕上げキャップ４０が嵌め込まれるが、仕上げキャップ４０の一方の側には第１の嵌合突起４１が取り付けられる。
【００１６】
また、回転膜３０の下部には、図２の下部に示す円内拡大図でのように、仕上げキャップ４０が嵌め込まれ、仕上げキャップ４０の一方の側には第２の嵌合突起４７が取り付けられる。したがって、上部と下部に仕上げキャップ４０が嵌め込まれた多数の回転膜３０は、図２に示す上フレーム２０と下フレーム２２に形成された嵌込み孔２３の所定の間隔に応じて一定の間隔をあけて配設されるのである。
【００１７】
一方、前記回転膜３０には、ショーケースの内部に陳列されたインスタント食品と飲料を消費者が外部から認識し易いように、透明なアクリル板又は可撓性に優れた透明なフィルム紙を用いることが好ましい。前記回転膜３０に透明なアクリル板又は透明なフィルム紙を用いると、ショーケースの内部に陳列された各種の食品に対する広報を手軽に行うこともできる。
【００１８】
図３は、本発明における回転膜３０と上フレーム２０の結合状態を説明するための詳細斜視図であって、図３の円内拡大図でのように多数配設された回転膜３０は、上フレーム２０の嵌込み孔２３に嵌め込まれた動力伝達具７０を介して取り付けられ、前記動力伝達具７０の上部には縦牽引具６０が取り付けられる。
【００１９】
さらに、前記上フレーム２０には、多数の回転膜３０を同時に回転させるための回動手段が取り付けられるが、前記上フレーム２０の内側の両側にはレール溝２１が形成され、前記レール溝２１には、レール溝２１により案内されながら左右に直線運動するレール５５が取り付けられ、前記レール５５の上部には主牽引具５０がビスにより結合され、前記主牽引具５０の上部にはラックギヤ５１が形成され、前記ラックギヤ５１にはモータ５３の軸に配設されたピニオンギヤ５４が噛み合う。
【００２０】
したがって、モータ５３の駆動につれて主牽引具５０が左右に直線往復運動を行い、レール５５もまた主牽引具５０と連動して左右に動き、レール５５に一方の側が接続された縦牽引具６０は、主牽引具５０の直線運動を回転運動に変換して、その結果、多数の回転膜３０が同時に回転されるのである。
【００２１】
図４は、本発明におけるセンサー１５と覆体１４を説明するための斜視図であり、前記上フレーム２０の上方に覆体１４が取り付けられ、覆体１４の上部には、消費者の動作を感知してモータ５３に駆動信号を送出するセンサー１５が取り付けられる。前記センサー１５は、通常のものであって、本発明の構成のいずれの位置に配設されてもよく、消費者の動作を感知し易い個所に配設することが好ましい。
【００２２】
図５は、本発明に係る回転膜３０の作動原理を説明するための模式図であり、図５の（ａ）は、回転膜３０が閉じられた状態であり、図５の（ａ）の状態で、消費者がショーケースの内部に陳列された食品を手を伸ばしてつかもうとすれば、センサー１５が消費者の動作を感知してモータ５３を回転させる駆動信号を送出し、モータ５３は、駆動信号に従って回転運動を行うことになる。
【００２３】
さらにまた、モータ５３が、図５の（ａ）に示すように、反時計回り方向に回転運動をすれば、主牽引具５０とレール５５は、（１）番の矢印の方向に直線運動をしながら、縦牽引具６０を（２）番の矢印の方向に回転運動させることにより、結果的に、図５の（ｂ）に示すように、多数の回転膜３０が９０°回転しながら同時にまるで開き戸が開くようにショーケースの内方に向かって完全に開かれるのである。
【００２４】
図６、図７、及び図８は、本発明における動力伝達具７０の構成と作動を説明するための斜視図であって、図６及び図８に示すように、上フレーム２０の嵌込み孔２３には動力伝達具７０が突き出るように嵌め込まれ、前記動力伝達具７０の上部には縦牽引具６０がビスにより強固に取り付けられる。
【００２５】
図７は、図６に示す「Ａ」の詳細図であって、動力伝達具７０は垂直に切断して示している。図７に示すように、前記動力伝達具７０の中央には前記第１の嵌合突起４１が嵌め込まれるように突起嵌合孔７１が形成され、前記突起嵌合孔７１の中心から等距離に位置して対称をなす２個所には動力嵌合孔７３が形成され、前記動力嵌合孔７３にはコイルばね８１と動力棒８０がこの順にそれぞれ嵌め込まれ、前記突起嵌合孔７１の上部には第１の嵌合突起４１を把持するための把持ボルト４６が載せられるように係止爪７２が形成される。
【００２６】
一方、前記動力嵌合孔７３の上部に雌ねじ部７４を形成することにより、前記縦牽引具６０がビスにより動力伝達具７０に取り付けられるようにするだけではなく、これと同時に、前記コイルばね８１と動力棒８０が脱去されないようにする。
【００２７】
本発明では、前記雌ねじ部７４を形成して縦牽引具６０の取付け及びコイルばね８１と動力棒８０の離脱を防止するように構成しているが、本発明は、このような結合構成に何ら限定されるのではない。例えば、縦牽引具６０を取り付けるためのその他の公知の構成が適用可能であり、コイルばね８１と動力棒８０の離脱を防止するために、動力嵌合孔７３の上部と下部の口径を調節するなどの公知の構成が適用可能であるが、これは、本発明の要旨と符合しない敷衍説明に過ぎないため、それについての詳細な説明は省略する。
【００２８】
前記動力伝達具７０の突起嵌合孔７１に嵌合する第１の嵌合突起４１の上部の中央には、把持ボルト４６が螺合されるように係合孔４５が形成され、第１の嵌合突起４１の下部には、第１の嵌合突起４１の外径よりも大きな外径を有する突起胴体部４２が形成されるが、前記突起胴体部４２の上面には、前記第１の嵌合突起４１の中心から等距離に位置して対称をなす２個所に置き孔４３が形成される。前記置き孔４３は、前記動力棒８０の先端が嵌め込まれるように対応する位置に形成されるものである。
【００２９】
一方、前記突起胴体部４２は、仕上げキャップ４０の上面に形成された突起胴体載置部４４にビスにより組み合わされて多数の回転膜３０を一列に整列する過程で微調整が行われるように構成することができるだけではなく、前記突起胴体部４２と突起胴体載置部４４を一体形に形成することも可能である。
【００３０】
これにより、縦牽引具６０から伝わる回転力が動力伝達具７０を介して動力棒８０に伝わり、動力棒８０の回転力は、動力棒８０の先端が置き孔４３に嵌め込まれた状態で突起胴体部４２に伝わり、突起胴体部４２の回転力は、ビスにより組み付けられた突起胴体載置部４４に伝わり、突起胴体載置部４４の回転力は、仕上げキャップ４０に伝わりながら、結果的に、回転膜３０が開閉されるのである。
【００３１】
図９及び図１０は、本発明における縦牽引具６０の構成と作動を説明するための斜視図であって、図９の円内拡大図でのように、縦牽引具６０は、動力伝達具７０の上部にビスにより強固に取り付けられ、縦牽引具６０の内部に出入りする牽引竿６１の一方の側はレール５５に取り付けられる。
【００３２】
したがって、図９に（１）番の矢印にて示すように、モータ５３が回転をすれば、ピニオンギヤの回転につれてラックギヤ５１が直線運動をしながら、主牽引具５０が直線方向に動く。このとき、主牽引具５０の搬送を円滑に補助するために、主牽引具５０の底面にはローラ５２が取り付けられる。
【００３３】
また、図９及び図１０に（２）番の矢印にて示すように、レール５５は主牽引具５０の直線運動と連動するため直線運動を行い、縦牽引具６０はレール５５の作動に従属するため（３）番の矢印の方向に回転し、牽引竿６１は（４）番の矢印の方向に縦牽引具６０の内部に向かって出入りすることにより、結果的に、回転膜３０は（５）番の矢印の方向に回転して開閉されるのである。
【００３４】
前記縦牽引具６０の牽引竿６１は、レール５５の直線運動を円運動に円滑に変換する構成要素であって、図５の（ｃ）でのように、回転干渉を避けるために、縦牽引具６０には縦牽引具６０を貫通する活性孔６２が形成される。
【００３５】
このため、縦牽引具６０が図５の（ｃ）に示すように（２）番の矢印方向に回転すれば、牽引竿６１は回転干渉を避けるために（３）番の矢印方向に活性孔６２の内部に向かって出入りすることにより、結果的に、回転膜３０の円滑な回転運動を可能にする。
【００３６】
図１１は、本発明における動力伝達具７０の動力棒８０の機能を説明するための斜視図である。前記動力棒８０は、動力伝達具７０から伝わる回転力を下部に伝えるための手段であって、消費者の安全を担保するための構成要素である。
【００３７】
すなわち、図１１の（ａ）は、動力伝達具７０に嵌合した動力棒８０の先端がコイルばね８１の弾性を受けながら突起胴体部４２の置き孔４３に嵌め込まれた状態であって、図１１の（ａ）に示す状態で、回転力が（１）番の矢印のように動力伝達具７０に伝わると、動力棒８０の先端が置き孔４３に嵌め込まれた状態であるため、回転力が回転膜３０に正常に伝わることにより、回転膜３０は（２）番の矢印の方向に回転することになる。
【００３８】
しかしながら、回転膜３０が回転する過程で、消費者の手が回転膜３０と回転膜３０との間に挟み込まれるなど消費者の安全を損なう状況が生じると、図１１の（ｂ）でのように、動力伝達具７０が（１）番の矢印の方向に回転するときに、回転力に負荷が生じる。
【００３９】
したがって、動力棒８０の先端に加えられる回転力は、外力によって一時的に停止した突起胴体部４２の置き孔４３から動力棒８０を抜脱させるが、動力棒８０の回転力が置き孔４３の停止力に影響を受けてコイルばね８１が縮まりながら動力棒８０が上方に移動するため、図１１の（ｂ）でのように、動力棒８０の先端が置き孔４３から抜脱されることにより、動力伝達具７０が回転する状況下で図回転膜３０は停止し、これに伴い、消費者の安全が最優先的に担保されるのである。
【００４０】
さらに、リスキーな状況が終了すれば、回転膜３０を手でつかんで左右に回しながら、ずれた置き孔４３の位置を動力棒８０の先端に対応させて再び嵌め込むなどの方式で多数の回転膜３０を整列することができる。
【００４１】
一方、図２及び図５の（ａ）、（ｂ）に示すように、下フレーム２２には回転止め具９１が取り付けられる。前記回転止め具９１は、回転膜３０が閉じられた状態でショーケースの前方に突き出て回転することを防止するために取り付けたものである。
【００４２】
本発明が消費者の安全を図るために回転膜３０に外力が生じると、当該回転膜３０がそれ以上回転しない構成であることを考慮するとき、本発明に係る回転膜３０は、外力によって位置が任意的に変わる。
【００４３】
このため、安全事故ではない状況下でも、回転膜３０を手でつかんで意図的に位置を変えることができるが、これを防止する目的で、閉状態の整列された様子が保たれ続けるように下フレーム２２に回転止め具９１を取り付けたのである。前記回転止め具９１は、回転膜３０の取り外しを容易に行うように、まるでプッシュボタンのように作動することが好ましい。
【００４４】
一方、図５の（ａ）、（ｂ）に示すように、上フレーム２０にはショーケースの内方に向かって完全に開かれた回転膜３０の間隔を等しく保持すべく、間隔保持具９０が取り付けられる。
【００４５】
上述したように、本発明に係る回転膜３０は、安全事故ではない状況下でも、回転膜３０を手でつかんで意図的に位置を変えることができるが、これを防止する目的で、開状態の整列された様子が保たれ続けるように上フレーム２０に間隔保持具９０を取り付けたのである。
【００４６】
図１２は、本発明をオープン式ショーケースに着脱式に設けた使用状態の斜視図であって、叙上した本発明に係るショーケース用の着脱式自動回転扉を用いると、オープン式ショーケースに陳列された各種の食品と飲料を外部から流れ込む異物から保護してさらに清潔な陳列状態を保つことができる他、新鮮度を高める冷気が外部に過剰に流出されるという不都合が解消されて電力の消費量を節減することができ、しかも、透明な材質の回転膜の表面を用いて、ショーケースの内部に陳列された各種の食品に対する広報を行い易いというメリットがある。
【００４７】
また、消費者の手が自動的に回転する回転膜の間に挟み込まれるといった状況が生じるとき、回転膜に加えられる回転力を急激に消滅することにより、消費者の安全を担保し得る有用な発明であるだけではなく、本発明が既存のオープン式ショーケースに着脱式で取り付け可能なものであることを考慮するとき、既存の施設物を用いてなお一層向上したサービスを消費者に提供することができるというメリットがある。
【符号の説明】
【００４８】
１０  ショーケース
１１  陳列棚
１２  陳列空間
１３  機械室
１４  覆体
１５  センサー
２０  上フレーム
２１  レール溝
２２  下フレーム
２３  嵌込み孔
３０  回転膜
４０  仕上げキャップ
４１  第１の嵌合突起
４２  突起胴体部
４３  置き孔
４４  突起胴体載置部
４５  係合孔
４６  把持ボルト
４７  第２の嵌合突起
５０  主牽引具
５１  ラックギヤ
５２  ローラ
５３  モータ
５４  ピニオンギヤ
５５  レール
６０  縦牽引具
６１  牽引竿
６２  活性孔
７０  動力伝達具
７１  突起嵌合孔
７２  係止爪
７３  動力嵌合孔
７４  雌ねじ部
８０  動力棒
８１  コイルばね
９０  間隔保持具
９１  回転止め具
【図１】
2021500933.tif 000003
【図２】
2021500933.tif 000004
【図３】
2021500933.tif 000005
【図４】
2021500933.tif 000006
【図５】
2021500933.tif 000007
【図６】
2021500933.tif 000008
【図７】
2021500933.tif 000009
【図８】
2021500933.tif 000010
【図９】
2021500933.tif 000011
【図１０】
2021500933.tif 000012
【図１１】
2021500933.tif 000013
【図１２】
2021500933.tif 000014
【国際調査報告】
2021500933.tif 000015
2021500933.tif 000016
2021500933.tif 000017
2021500933.tif 000018